【事件の表示】
　特許第３４１０６６４号「液晶表示装置」の請求項１ないし３に係る特許に対する特許異議の申立てについて、次のとおり決定する。
【結　論】
　訂正を認める。
　特許第３４１０６６４号の請求項１、２に係る特許を維持する。
【理　由】
１．手続の経緯
　特許３４１０６６４号の請求項１〜３に係る発明の出願は、平成１０年７月１４日に特許出願され、平成１５年３月２０日に設定登録がなされ、その後、その特許について、斉藤　忠、葛城範子、中沢　尚より、それぞれ特許異議の申立てがなされ、平成１６年３月２９日付で取消理由が通知されたところ、その指定期間内である平成１６年５月１９日に訂正請求がなされたものである。
　　
２．訂正の適否についての判断
（１）平成１６年５月１９日付訂正の内容
　特許権者が求めている訂正の内容は、以下のとおりである。
　ａ．特許請求の範囲の請求項１に記載された、
「【請求項１】　液晶層を挟んで互いに対向して貼り合わされる一対の基板のうちの一方側の基板上には、外光を反射する反射部と背面光源からの光を透過する透過部とを１画素内に構成する画素電極が形成され、該一対の基板のうちの他方側の基板上には、カラーフィルターが形成されてなる液晶表示装置において、前記他方側の基板上における前記反射部に対応する領域は、カラーフィルターが形成された領域とカラーフィルターが形成されていない領域とにより構成されてなり、前記カラーフィルターは、前記画素電極領域と前記カラーフィルター形成領域との貼り合わせずれが発生した際も、該カラーフィルターが形成されていない領域の面積が一定となるように形成されていることを特徴とする液晶表示装置。」
を、
「【請求項１】　液晶層を挟んで互いに対向して貼り合わされる一対の基板のうちの一方側の基板上には、外光を反射する反射部と背面光源からの光を透過する透過部とを１画素内に構成する画素電極が形成され、該一対の基板のうちの他方側の基板上には、カラーフィルターが形成されてなる液晶表示装置において、前記他方側の基板上における前記反射部に対応する領域は、カラーフィルターが形成された領域とカラーフィルターが形成されていない領域とにより構成されてなり、前記カラーフィルターは、前記画素電極領域と前記カラーフィルター形成領域との貼り合わせずれが発生した際も、該カラーフィルターが形成されていない領域の面積が一定となるように形成されて
おり、　前記他方側の基板には、前記カラーフィルターが形成された領域と、前記カラーフィルターが形成されていない領域との境界に、ブラックマスクが形成されて
 と訂正する。
　ｂ．特許請求の範囲の請求項３を削除する。
　ｃ．明細書の段落【００１５】に記載された、
「前記カラーフィルターは、前記画素電極領域と前記カラーフィルター形成領域との貼り合わせずれが発生した際も、該カラーフィルターが形成されていない領域の面積が一定となるように形成されていることを特徴としており、そのことにより、上記目的は達成される。」
を、
「前記カラーフィルターは、前記画素電極領域と前記カラーフィルター形成領域との貼り合わせずれが発生した際も、該カラーフィルターが形成されていない領域の面積が一定となるように形成されて
おり、前記他方側の基板には、前記カラーフィルターが形成された領域と、前記カラーフィルターが形成されていない領域との境界に、ブラックマスクが形成されて
と訂正する。
　ｄ．明細書の段落【００１８】を削除する。
　　
（２）訂正の目的の適否、新規事項の有無及び拡張・変更の存否
　訂正事項ａにおいて、「
前記他方側の基板には、前記カラーフィルターが形成された領域と、前記カラーフィルターが形成されていない領域との境界に、ブラックマスクが形成されて
　この場合、「
前記他方側の基板には
他方側の基板
　また訂正事項ｂにおいて、請求項３を削除する訂正は、請求項１の訂正に伴い必要となった訂正であって、特許請求の範囲の減縮を目的とするものである。
　また、訂正事項ｃ，ｄについては、訂正事項ａの訂正に伴い訂正された請求項１、及び同ｂの訂正に伴い削除された請求項３と明細書の記載との整合をとるために必要となった訂正であって、明りょうでない記載の釈明を目的としたものである。
　さらに、これらの訂正は、実質上特許請求の範囲を拡張し、又は変更するものでもない。
　　
（３）むすび
　以上のとおりであるから、上記訂正は、特許法第１２０条の４第２項の規定及び同条第３項で準用する特許法第１２６条第２項及び第３項の規定に適合するので、当該訂正を認める。
　　　
３．特許異議の申立てについての判断
（１）本件発明
　上記２．で訂正を認めたことにより、本件の請求項１，２に係る発明(以下、「本件発明１，２」という。)は、全文訂正明細書の特許請求の範囲の請求項１，２に記載されたとおりの次のものである。
　　　　
「【請求項１】　液晶層を挟んで互いに対向して貼り合わされる一対の基板のうちの一方側の基板上には、外光を反射する反射部と背面光源からの光を透過する透過部とを１画素内に構成する画素電極が形成され、該一対の基板のうちの他方側の基板上には、カラーフィルターが形成されてなる液晶表示装置において、前記他方側の基板上における前記反射部に対応する領域は、カラーフィルターが形成された領域とカラーフィルターが形成されていない領域とにより構成されてなり、前記カラーフィルターは、前記画素電極領域と前記カラーフィルター形成領域との貼り合わせずれが発生した際も、該カラーフィルターが形成されていない領域の面積が一定となるように形成されており、前記他方側の基板には、前記カラーフィルターが形成された領域と、前記カラーフィルターが形成されていない領域との境界に、ブラックマスクが形成されていることを特徴とする液晶表示装置。
【請求項２】　前記他方側の基板上における前記透過部に対応する領域は、カラーフィルターが形成された領域により構成されていることを特徴とする請求項１に記載の液晶表示装置。」
　　　
（２）刊行物等に記載された発明
　
特許異議申立人斉藤　忠
　　甲第１号証：特願平９−３５３６０４号（特開平１１−１８３８９２号公報）の願書に最初に添付した明細書及び図面（以下、「先願明細書」という。）
　　甲第２号証：再公表特許ＷＯ９７／０４３５０（以下、「刊行物１」という。）
　　甲第３号証：特開平７−２１８９２３号公報  （以下、「刊行物２」という。）
　　
　
同じく葛城範子
　  甲第１号証：特開平１０−１４２６２１号公報（以下、「刊行物３」という。）
　  甲第２号証：特開平７−２１８９２３号公報　（斉藤　忠の甲第３号証に同じ）
　  甲第３号証：特開昭６１−２３０１０１公報　（以下、「刊行物４」という。）
　　甲第４号証：特願平９−３５３６０４号（特開平１１−１８３８９２号公報）の願書に最初に添付した明細書及び図面（斉藤　忠の甲第１号証に同じ）
　　
　
同じく中沢　尚
　　甲第１号証：特願平９−３５３６０４号（特開平１１−１８３８９２号公報）の願書に最初に添付した明細書及び図面（斉藤　忠の甲第１号証、葛城範子の甲第４号証に同じ）
　　
　そして、これら特許異議申立人の提示した上記先願明細書及び刊行物１〜４には、以下の事項が記載されているものと認められる。
　
ａ．先願明細書（特開平１１−１８３８９２号公報）
「【００１９】【発明の実施の形態】
　この発明の液晶表示素子は、上記のように、前側基板の内面に設けた複数の色の着色膜にそれぞれ画素領域内に部分的に対応させて非着色光を出射させるための開口を設け、後側基板の内面に前記着色膜の開口に対向する反射膜を設けることにより、外光を利用して反射型表示を行なうときは明るいカラー画像を表示し、バックライトの光を利用して透過型表示を行なうときはコントラストの良いカラー画像を表示することができるようにしたものである。」、
「【００２２】【実施例】
　以下、この発明の第１の実施例を図面を参照して説明する。図１は液晶表示素子の一部分の正面図、図２は図１のII−II線に沿う断面図である。
　この実施例の液晶表示素子は、ＴＦＴ（薄膜トランジスタ）をアクティブ素子とするアクティブマトリックス方式のものであり、液晶層１９をはさんで対向する前後一対の基板（ガラス等からなる透明基板）１，２のうち、後側の基板２の内面には、複数の透明な画素電極３がマトリックス状に配列させて設けられるとともに、これらの画素電極３にそれぞれ対応するアクティブ素子（以下、ＴＦＴという）４が配設されている。」、
「【００３４】　一方、前側の基板１の内面には、透過波長帯域が異なる複数の色の着色膜、例えば赤、緑、青の３色のカラーフィルタ１４Ｒ，１４Ｇ，１４Ｂが、前記画素電極３の配列に対向して、行方向および列方向に交互に並べて設けられており、これらのカラーフィルタ１４Ｒ，１４Ｇ，１４Ｂを覆って形成した透明な保護膜（絶縁膜）１６の上に、前記画素電極３の全てに対向し、これらの画素電極３と対向する領域がそれぞれ画素領域Ａを形成する一枚膜状の透明な対向電極１７が設けられ、その上に配向膜１８が形成されている。なお、前記保護膜１６は、カラーフィルタ１４Ｒ，１４Ｇ，１４Ｂの材質を適正に選択することにより省くことができる。」、
「【００４１】　これらのカラーフィルタ１４Ｒ，１４Ｇ，１４Ｂはそれぞれ、色純度の良い着色光が得られる膜厚を有しており、前記画素領域Ａ内に部分的に対応させて非着色光を出射させるための開口１５を設けた形状に形成されている。
【００４２】　この実施例では、各色のカラーフィルタ１４Ｒ，１４Ｇ，１４Ｂを、その中央領域に画素領域Ａの中央部に対応する縦長矩形状の開口１５を設けた形状に形成するとともに、これらのカラーフィルタ１４Ｒ，１４Ｇ，１４Ｂを外形を、その外周縁部が前記画素領域Ａの外周縁よりも外側に張出す大きさに形成している。」、
「【００４５】　また、後側基板２の内面に設けられた前記各画素電極３は、ＩＴＯ等の透明導電膜からなっており、その中央領域には、前記カラーフィルタ１４Ｒ，１４Ｇ，１４Ｂの開口１５に対向する縦長矩形状の反射膜３ｂが前記画素電極上に設けられている。すなわち、各画素領域Ａは、各画素電極３上に前記反射膜３ｂが形成された光反射領域と、前記反射膜３ｂが形成されていない他の光透過可能な光透過領域３ａとからなっている。前記反射膜３ｂは、アルミニウムまたはクロム等の光反射率の金属膜からなっており、その表面は、酸素プラズマ処理等により粗面化された散乱反射面となっている。」、
「【００５５】　図３は、上記反射型表示の際の画素及びカラーフィルタの配列を示す図であり、各カラー画素Ａ′は、画素領域Ａの周囲領域から隣り合う画素領域Ａとの間の画素間領域のほぼ中間部にわたる着色光出射領域ａからの出射光である赤Ｒ、緑Ｇ、青Ｂのいずれかの着色光ａ′と、画素領域Ａの中央領域である非着色光出射領域ｂからの出射光である非着色光ｂ′とで表示されるが、人間の目には、画素Ａ′全体が前記着色光の色に着色しているように見え、これらの赤、緑、青のカラー画素Ａ′の加法混色によりフルカラー画像が表示される。
【００５６】　なお、人間の目に見えるカラー画素Ａ′は、前記着色光の色が僅かに薄くなった高輝度の画素であり、その色の濃さと明るさは、前記着色光と非着色光との光量比に対応する。このカラー画素Ａ′の色の濃さと明るさは、画素領域Ａの面積に対するカラーフィルタ１４Ｒ，１４Ｇ，１４Ｂの開口１５および前記光反射領域の面積比を選択することにより任意に設定することができる。」、
「【００６１】　このように、バックライト２４の光を利用して透過型表示を行なうときは、素子背面側から入射した光のうち、カラーフィルタ１４Ｒ，１４Ｇ，１４Ｂの開口１５以外の部分が対応する着色光出射領域ａに入射した光だけが、カラーフィルタ１４Ｒ，１４Ｇ，１４Ｂによりその吸収波長帯域の光を吸収されて着色光となり、その着色光が素子前方に出射する。」、
「【００６３】　このため、透過型表示においては、各画素領域Ａから、カラーフィルタ１４Ｒ，１４Ｇ，１４Ｂによりその吸収波長帯域の光を吸収された着色光だけが出射し、その着色光により色純度の高いカラー画素が表示されるから、広い色範囲のカラー画像を表示することができる。」、
「【００７５】　また、前記反射膜３ｂ，１２ａの外形寸法は、前記開口１５の開口寸法よりも大きいか同じであることが望ましく、それにより有効に非着色光の透過光の出射を防止することができる。」、
「【００７８】　また、上記実施例では、カラーフィルタ１４Ｒ，１４Ｇ，１４Ｂの開口１５およびこの開口１５に対向する反射膜３ｂ，１２ａを、画素領域Ａの中央部に対応させて設けているが、前記カラーフィルタ１４Ｒ，１４Ｇ，１４Ｂの開口１５と反射膜３ｂ，１２ａは、画素領域Ａの複数箇所に対応させて設けてもよい。」が記載されている。
　
　
ｂ．刊行物１（再公表特許ＷＯ９７／０４３５０）
「６．請求項１乃至請求項３のいずれかに記載の反射型カラー液晶装置において、前記カラーフィルタが各ドット内の光変調可能な領域の一部にのみ設けられていることを特徴とする反射型カラー液晶装置。」（特許請求の範囲）、
「本発明は、明るさや視差といった様々な問題を抱える一方でメリットも多いＴＮモードやＳＴＮモードといった偏光板を利用する液晶モードを用いて、従来よりも明るく鮮やかな色が表示できる反射型カラー液晶装置を提供し、またこれを利用した電子機器を提供することを目的とする。」（９頁２６〜２９行）、
「また、前記カラーフィルタが各ドット内の光変調可能な領域の一部にのみ設けられていることを特徴とする。このように構成することにより、本発明の反射型カラー液晶装置は、従来通りのカラーフィルタ製造技術を利用できる上、視差による色混じりが小さくなるという利点がある。また特にカラーフィルタが電極と液晶の間の位置に設けられる場合には、広視角が得られ、中間調における色純度が向上するという利点がある。従来、例えば特公平７−６２７２３号公報でもドットの一部にカラーフィルタを設けることが提案されているが、これは透過型液晶装置である上、染色法カラーフィルタに限定されている点、カラーフィルタを設ける面積がドットの６７％から９１％と大きい点が本願と異なる。（特公平７−６２７２３号公報の表現は「非着色部の面積を着色部の面積の１０〜５０％とする」とある。従ってドットにしめる着色部の面積は、１００／１５０＝６７％から１００／１１０＝９１％となる。）
　また、前記光変調可能な領域でカラーフィルタが設けられていない領域と、光変調不可能な領域に、可視光域で透明な層を前記カラーフィルタとほぼ同じ厚みで形成したことを特徴とする。このように構成することにより、反射型カラー液晶装置は、液晶記向の乱れもなく高画質な表示が出来るという利点がある。
　また、前記カラーフィルタが総ドット数の４分の３以下の数のドットにのみ設けられていることを特徴とする。より好ましくは、総ドット数の３分の２以下の数のドットにのみ設けられていることを特徴とする。このように構成することにより、明るい表示が可能であり、また中間調の色表示を行う場合も主としてカラーフィルタが無いドットで明るさを調整すれば、常に鮮やかな色が表示できるという利点がある。従来から、透過型液晶装置では赤、緑、青、白の４ドットで１画素を形成することが一部で実施されていたが、反射型液晶装置で提案されたことはない。特にＴＮモードやＳＴＮモードを利用する反射型カラー液晶装置では視差の問題が避けられず、色表示を行ったときに大変暗くなるが、カラーフィルタを設けないドットを設けることにより、明るい色表示が可能である。」（１２頁８行〜１３頁６行）、
「第１５図は本発明の請求項６記載の発明に係る反射型カラー液晶装置の構造の要部を示す図である。まず構成を説明する。１５０１は上側偏光板、１５０２は素子基板、１５０３は液晶、１５０４は対向基板、１５０５は下側偏光板、１５０６は散乱反射板であり、対向基板１５０４上には対向電極（走査線）１５１１とカラーフィルタ１５１０を設け、素子基板１５０２上には信号線１５０７、ＭＩＭ素子１５０８、画素電極１５０９を設けた。なお１ドット中で光変調可能な領域は、素子基板上の凹型形状のＩＴＯと、対向基板上の短冊形状のＩＴＯが重なる領域であって、対向基板のＩＴＯ上に破線でその輪郭を示した。（一部カラーフィルタと重なって見えないが、同様の輪郭を示した第２０図を参照して欲しい。）」（３４頁２９行〜３５頁９行）、
「第２３図は、本発明の請求項７記載の発明に係る反射型カラー液晶装置の、カラーフィルタ基板の構造を示す図である。（a）が正面図であり、（b）が断面図である。まず、構成を説明する。（a）の破線で囲んだ長方形領域２３０４が１ドットを示す。２３０９はガラス基板、２３０１は赤フィルタ、２３０３は緑フィルタ、２３０２は青フィルタ、２３０５はドット間ギャップ、ハッチング領域２３０８はアクリル、２３０７は保護膜、２３０６はＩＴＯ透明電極である。
　ここで用いたカラーフィルタの分光特性を第２５図に示す。第２５図の横軸は光の波長、縦軸は透過率であり、２５０１が青フィルタのスペクトル、２５０２が緑フィルタのスペクトル、２５０３が赤フィルタのスペクトルを示している。但しこれはカラーフィルタ形成面積が１００％のときの特性である。このような分光特性を示すカラーフィルタを、第２３図の１ドット２３０４内に面積率５０％で形成した。これによって、１ドット内の平均で、第２６図に示したような分光特性が得られた。第２６図の横軸は光の波長、縦軸は透過率であり、２６０１が青フィルタのスペクトル、２６０２が緑フィルタのスペクトル、２６０３が赤フィルタのスペクトルを示している。
　さらに、第２３図のカラーフィルタ未形成部分にはアクリル２３０８をカラーフィルタと同じ厚さで形成した。この時のカラーフィルタ２３０１、２３０２、２３０３とアクリル２３０８の厚さは、いずれも約０.２μｍである。また通常の透過型カラー液晶装置で用いるドット間等に構成する遮光膜（ブラックストライプ）を形成せずに、ドット間ギャップ２３０５にもアクリル透明層２３０８を形成した。さらに、このカラーフィルタ上に順次、保護膜２３０７、ＩＴＯ電極２３０６、液晶を配向させるための配向膜（図示せず）を形成して、ＭＩＭ（金属−絶縁膜−金属）アクティブマトリクス基板と重ね合わせ、液晶装置を構成した。このときの液晶モードはＴＮモードを採用した。」（４０頁６〜２９行）、
「さらに、第２８図のカラーフィルタ未形成部分にはアクリル２８０７をカラーフィルタと同じ厚さで形成した。この時のカラーフィルタとアクリルの厚さは、約０.８μｍであり、通常透過型カラー液晶装置で用いるドット間等に構成する遮光膜（ブラックストライプ）は形成せずに、ドット間にもアクリル２８０７透明層を形成した。さらに、液晶を配向させるための配向膜を形成して、ＴＦＴ基板と重ね合わせ、液晶装置を構成した。このときの液晶モードはＴＮモードを採用し、ガラス基板外側に偏光板をそれぞれ貼付し、さらに観察面と反対側に銀反射板を配置した。
　カラーフィルタを１ドット内に面積率３０％で形成しただけの基板を用いた反射型カラー液晶装置ではカラーフィルタ形成部分と未形成部分の段差で液晶の配向が乱れ、コントラストが１：５であったのに対して、アクリルをカラーフィルタ未形成部にカラーフィルタと同じ厚みで形成した基板を用いた反射型カラー液晶装置は液晶配向の乱れもなく高画質な表示が可能となった。」（４２頁１７〜２９行）、
「実施例１６及び実施例１７ではカラーフィルタを１ドットのほぼ中央部に部分的に形成したが、第３２図（a）（b）に示すような配置で形成しても構わない。（a）は１ドット３２０１の上半分もしくは下半分がカラーフィルタを形成した領域３２０２であり、残り半分がカラーフィルタを形成しない領域３２０３である。（b）は１ドット３２０１の右半分もしくは左半分がカラーフィルタを形成した領域３２０２を形成した領域であり、残り半分がカラーフィルタを形成しない領域３２０３である。また、第３２図（c）（d）に示すように１ドット３２０１内を２つ以上に分割し、一部をカラーフィルタを形成する領域３２０２、残りをカラーフィルタを形成しない領域３２０３としてもよい。このような様々なパターンのカラーフィルタを用いても、やはり高画質な反射型カラー液晶装置が実現できた。」（４３頁１３〜２３行）、
「第５６図は本発明の請求項２１記載の発明に係る反射型カラー液晶装置の要部を示す図である。まず構成を説明する。５６０１は上側偏光板、５６０２は対向基板、５６０３は液晶、５６０４は素子基板であり、対向基板５６０２上にはカラーフィルタ５６０５と、対向電極(走査線)５６０６を設け、素子基板５６０４上には信号線５６０７、散乱反射板を兼ねた画素電極５６０８、MIM素子６０９を設けた。散乱反射板を兼ねた画素電極は、金属アルミニウムのスパッタ膜の表面に機械的、化学的手法により凹凸をつけたものを用いた。またカラーフィルタは、実施例２の第３図と同様の分光特性を有している。」（５８頁９〜１６行）が記載されている。
　　
　
ｃ．刊行物２（特開平７−２１８９２３号公報）
「【００３０】　次に、請求項１〜４に係る発明において金属電極を設ける背面電極板の基板としては、例えば、ガラス基板が適用できる。また、この他にセラミック基板、プラスチックフィルム、プラスチックボード等も適用できる。この基板は透明に限らず、黒色、白色、その他の色に着色したものであってもよい。
基板として黒色のものを使用する場合には、液晶表示装置の画素と画素との間隙部位（画素間部位）に遮光膜を形成することなく上記金属電極が存在しない部位に入射した光線の反射を防止して表示画面のコントラストの向上を図ることが可能になる。
「【００３１】　他方、上記観察者側電極板の基板としては、ガラス基板、セラミック基板、プラスチックフィルム、プラスチックボード等の透明な基板が適用でき、透明電極としてはＩＴＯやネサ膜等の透明導電膜が適用できる。また、この観察者側電極板に光散乱層を設けて表示光を散乱させ表示画面の視野角を拡大させたり、カラーフィルター層を設けて表示光を着色してカラー表示することも可能である。光散乱層は上記基板の液晶物質と接触する内側あるいは偏光フィルムと接触する外側のいずれに設けてもよい。このような光散乱層として、例えば、透明樹脂バインダー中にこれと屈折率の異なる微粒子を分散させたものが適用でき、上記微粒子としては、例えば、ＭｇＦ２、ＣａＦ２、ＬｉＦ、ＮａＦ、ＢａＦ２、ＳｉＯ２、ＴｉＯ２、ＨｆＯ２、ＭｇＯ、ＣａＯ、Ａｌ２Ｏ３、ＳｎＯ２、ＰｂＯ、Ｓｂ２Ｏ５ 、ＺｒＯ２、ＣｅＯ２等の無機微粉末、あるいはＰＴＦＥ（ポリテトラフルオロエチレン）等のフッ素樹脂の微粉末、アモルファスポリオレフィン微粉末、ポリジビニルベンゼンのビーズ、ポリスチレンの中空ビーズ、ポリサルフォン微粉末、溶融石英の微粉末、ＦＫ−６等のフッ化物含有珪酸ガラスの微粉末等が使用できる。また、上記基板の表面を粗面化処理してこの表面にサブミクロンオーダーの深さの凹凸を形成し、この凹凸を上記光散乱層の代わりに利用して表示光を散乱させ表示画面の視野角を拡大させることも可能である。
【００３２】　次に、上記カラーフィルター層としては、着色材を含有するインキを画素パターンに印刷して形成した印刷法によるカラーフィルター層、透明樹脂を画素パターンに染色して形成した染色法によるカラーフィルター層、あるいは着色材を含有する感光性透明樹脂を塗布した後フォトリソプロセスに従って画素パターンに露光・現像して形成した顔料分散法によるカラーフィルター層、着色材を含有する電着塗料を画素パターンに電着させて形成した電着法によるカラーフィルター層、着色材を含有するトナーを電子写真法に従って画素パターンに付着させて形成した電子写真法によるカラーフィルター層等の周知のカラーフィルター層を利用することができる。」、
「【００４２】［実施例２］
　この実施例に係る反射型液晶表示装置は、図２に示すように背面電極板１と、この背面電極板１に対向して配置された観察者側電極板２と、これ等両電極板１、２を周辺部で一体化させるシール材３と、これ等両電極板１、２の間に封入された液晶物質４と、背面側電極板１の背後に配置されかつ照明の暗い室内で点灯して使用されるランプ（図示せず）とでその主要部が構成されている。また、上記背面電極板１は、厚さ０．７μｍのガラス基板１１と、このガラス基板１１上に幅１９５μｍ、ピッチ２１０μｍのストライプパターンに設けられかつ酸化錫を７．５重量％含有する酸化インジウムから成るＩＴＯ薄膜（厚さ０．１μｍ）１４と、このＩＴＯ薄膜１４上の画素部位にパターン（図３に示すように中央部に径７０μｍの円形の穴開きパターン１５ａを有する一辺が１９５μｍの矩形パターン）状に設けられた銀の薄膜（厚さ０．２μｍ）１５と、この銀の薄膜１５を被覆して設けられたＳｉＯ２ 薄膜１６とで構成され、他方、観察者側電極板２は、厚さ０．７μｍのガラス基板２１と、このガラス基板２１上に幅１９５μｍ、ピッチ２１０μｍのストライプパターン（上記ＩＴＯ薄膜１４と直交する方向のストライプパターン）に設けられかつ厚さ０．２μｍの透明導電膜から成る透明電極２２とで構成されている。
【００４３】　尚、上記銀薄膜１５の中央部に設けられた穴開きパターン１５ａは、照明の暗い室内で液晶表示装置を駆動する際に点灯される上記ランプの光線を画素部位に誘導するものである。また、この液晶表示装置も単純マトリクス駆動方式のもので、上記銀薄膜１５を走査側電極とし、透明電極２２を信号側電極として利用するものである。」が記載されている。
　　
　
ｄ．刊行物３（特開平１０−１４２６２１号公報）
「【０００６】　本発明は上記のような従来の問題を解決し、カラーフィルタの貼り合わせ誤差による色特性のばらつきを低減し、かつ、明るい表示を得ることができる反射型
液晶表示装置を提供することを目的とする。
【０００７】【課題を解決するための手段】
　発明による反射型液晶表示装置は、第１の基板の一主面上に矩形島状の反射画素電極がＸＹマトリックス状に配置されるように形成され、第２の基板の一主面上に光透過領域で区切られた矩形島状の１又は複数種の色領域（即ち、カラーフィルタ）がＸＹマトリックス状に配置されるように形成され、第１の基板と第２の基板との間に液晶層が挟持されたものであって、表示面の法線方向から見たとき、前記色領域が前記反射画素電極の領域内に含まれ、前記反射画素電極と前記色領域との左辺同士、右辺同士、上辺同士、および下辺同士が所定の距離を有することを特徴とする。」、
「【００１０】【発明の実施の形態】
　以下、本発明の実施形態について、図面を参照しながら説明する。
　本発明の実施形態に係る反射型アクティブマトリックス液晶表示装置の部分断面を図１に示す。また、この液晶表示装置の平面図を図２に示す。図１において、１は外光を一方向に偏光する偏光板、２は偏光された光のｘｙｚ軸上の位相を変化させる位相差板、３は光を散乱する散乱板である。４〜１２は液晶セルの構成要素であり、４はガラス基板、５は赤・緑・青のカラーフィルタ、６はＩＴＯ透明電極、７は配向膜、８は液晶層、９はアルミニウムまたは銀で形成された反射画素電極、１０は層間絶縁膜、１１は薄膜トランジスタ素子、１２はゲート絶縁膜である。また、Ｄｌはカラーフィルタと画素電極との左辺同士の距離、Ｄｒはカラーフィルタと画素電極との右辺同士の距離である。偏光板１と位相差板２との方位角及び液晶のツイスト方向を調整することにより、電圧を印加しない状態（オフ電圧）に明状態、電圧を印加した状態（オン電圧）で暗状態になるようにしている。
【００１１】　図２において、１３はゲートバスライン、１４はソースバスライン、１５は画素電極、１６はカラーフィルタ、１７は蓄積容量用電極である。Ｄｌ，Ｄｒ，Ｄｕ，Ｄｄはそれぞれ、カラーフィルタと画素電極との左辺同士、右辺同士、上辺同士、下辺同士の距離である。
【００１２】　上記の各距離Ｄｌ，Ｄｒ，Ｄｕ，Ｄｄは、画素のＸ及びＹ方向のピッチをＰｘ及びＰｙとしたとき、
　Ｐｘ／２００≦Ｄｌ，Ｄｒ≦Ｐｘ／４
　Ｐｙ／５００≦Ｄｕ，Ｄｄ≦Ｐｙ／１０
を満足する。これにより、液晶セルにカラーフィルタを貼り合わせる際に生ずる誤差に起因して、液晶セルとカラーフィルタとの位置関係が多少上下左右にずれても、各色のカラーフィルタを各画素と１対１に対応させることができる。その結果、液晶表示装置ごとの色特性のばらつきが減少し、製造の歩留まりが向上する。なお、Ｄｌ＝Ｄｒ、Ｄｕ＝Ｄｄである必要はなく、各色のカラーフィルタに応じて異なる値をとることができる。
【００１３】　次に本発明の別の実施形態について説明する。図１において、反射型液晶表示装置に入射した光は、液晶セル４〜１２に到達した後、カラーフィルタを通る光路と通らない光路とに分かれる。このうち、カラーフィルタを通らない光路ではカラーフィルタによる光の減衰が無いため、その分だけ反射輝度が大きくなる。したがって、距離Ｄｌ，Ｄｒ，Ｄｕ，Ｄｄを大きく設定し、カラーフィルタの面積を小さくすることにより、反射輝度を高めることができる。
【００１４】　図３に示すグラフは、距離Ｄｌ，Ｄｒ，Ｄｕ，Ｄｄを０μｍから８μｍまで変化させてカラーフィルタの面積を小さくしていったときの色面積と反射輝度との関係をプロットしたものである。・・・」、
「【００１７】【発明の効果】
　以上説明したように、本発明の反射型液晶表示装置は、各カラーフィルタが液晶層を挟んで画素電極の領域内に存在し、カラーフィルタと画素電極との上下左右辺同士に所定の距離が確保されている構造により、液晶セルにカラーフィルタを貼り合わせる際に多少の位置ずれ誤差が生じても、各色のカラーフィルタを各画素と１対１に対応させることができるため、液晶表示装置毎の色特性のばらつきが抑えられ、製造歩留まりが向上する。」が記載されている。
　　
　
ｅ．刊行物４（特開昭６１−２３０１０１公報）
「[効果]　以上説明したように、本発明によれば染色の濃さを変えることなく、微細な規則正しい形状の着色部の配列（パターン）と、その間又は内部に同じく微細な規則正しい透明部又は半透明部を設けることにより、耐光性を劣化させることなく、かつ透明部を通過する光のために、カラーフィルタ全体を明るくすることができるという効果を有する。」が記載されている。
　　
（３）特許法第２９条の２、同法第２９条第２項についての対比・判断
　上記先願明細書及び刊行物１〜４には、いずれも本件発明１の「他方側の基板には、前記カラーフィルターが形成された領域と、前記カラーフィルターが形成されていない領域との境界に、ブラックマスクが形成されている」なる事項が記載されていない。
　すなわち、刊行物２には、その段落【００３０】に、「基板として黒色のものを使用する場合には、液晶表示装置の画素と画素との間隙部位（画素間部位）に遮光膜を形成することなく上記金属電極が存在しない部位に入射した光線の反射を防止して表示画面のコントラストの向上を図ることが可能になる。」との事項が記載されているが、このものは、画素電極側基板にブラックマスクを形成するものであって、カラーフィルターが形成された他方側の基板にブラックマスクを形成する本件発明１とは明確に異なる。また、上記刊行物２の記載事項から本件発明１の事項が導出容易であるともいえない。
　また、本件発明２は、本件発明１を引用し、さらに限定を付した発明であるから、本件発明１と同様に上記事項が、上記先願明細書及び刊行物１〜４に記載のものにより充足し得ないことは明らかである。
　したがって、本件発明１及び２は、先願明細書に記載された発明と同一ではなく、また、刊行物１〜４に記載された発明に基づいて当業者が容易に発明することができたものともいえないから、特許法第２９条の２及び同法第２９条第２項の規定に違反して特許を受けたものではない。
　　
（４）特許法第３６条第６項２号についての判断
　平成１６年３月２９日付取消理由通知書において、請求項３にかかる発明において、ブラックマスクがどの基板に形成されるのか記載されてなく発明が明確でない旨指摘したが、平成１６年５月１９日の訂正請求により、請求項３が削除されるとともに請求項１に「
前記他方側の基板には、
ブラックマスクが形成されている
　　
　また、その他の異議申立理由によっては取り消すことができない。
　　
４．むすび
　以上のとおりであるから、特許異議申立の理由及び証拠によっては、本件請求項１及び２に係る特許を取り消すことはできない。
　また、他に本件請求項１及び２に係る特許を取り消すべき理由を発見しない。
　よって、結論のとおり決定する。
【異議決定日】
平成１７年３月１０日（２００５．３．１０）
【訂正の要旨】
審決（決定）の【理由】欄参照。
（５４）【発明の名称】
液晶表示装置
（５７）【特許請求の範囲】
　【請求項１】　液晶層を挟んで互いに対向して貼り合わされる一対の基板のうちの一方側の基板上には、外光を反射する反射部と背面光源からの光を透過する透過部とを１画素内に構成する画素電極が形成され、該一対の基板のうちの他方側の基板上には、カラーフィルターが形成されてなる液晶表示装置において、
　前記他方側の基板上における前記反射部に対応する領域は、カラーフィルターが形成された領域とカラーフィルターが形成されていない領域とにより構成されてなり、
　前記カラーフィルターは、前記画素電極領域と前記カラーフィルター形成領域との貼り合わせずれが発生した際も、該カラーフィルターが形成されていない領域の面積が一定となるように形成されて
おり、
　
前記他方側の基板には、前記カラーフィルターが形成された領域と前記カラーフィルターが形成されていない領域との境界に、ブラックマスクが形成されて
　【請求項２】　前記他方側の基板上における前記透過部に対応する領域は、カラーフィルターが形成された領域により構成されていることを特徴とする請求項１に記載の液晶表示装置。
【発明の詳細な説明】
　【０００１】
　【発明の属する技術分野】
　本発明は、ワードプロセッサやパーソナルコンピューターなどのＯＡ機器や、電子手帳などの携帯情報機器、あるいは液晶モニターを備えたカメラ一体型ＶＴＲなどに用いられる液晶表示装置に関する。
　【０００２】
　【従来の技術】
　近年、液晶表示装置は、薄型で低消費電力であるという特徴を生かして、ワードプロセッサやパーソナルコンピューターなどのＯＡ機器や、電子手帳などの携帯情報機器、あるいは液晶モニターを備えたカメラ一体型ＶＴＲなどに広く用いられている。
　【０００３】
　このような液晶表示装置には、画素電極にＩＴＯ（Ｉｎｄｉｕｍ　Ｔｉｎ　Ｏｘｉｄｅ）などの透明導電性薄膜を用いた透過型の液晶表示装置と、画素電極に金属などの反射電極を用いた反射型の液晶表示装置とがある。
　【０００４】
　本来、液晶表示装置はＣＲＴ（ブラウン管）やＥＬ（エレクトロルミネッセンス）などとは異なり、自ら発光する自発光型の表示装置ではないため、透過型の液晶表示装置の場合には、液晶表示装置の背後に蛍光管などの照明装置、所謂バックライトを配置して、そこから入射される光によって表示を行っている。また、反射型の液晶表示装置の場合には、外部からの入射光を反射電極によって反射させることによって表示を行っている。
　【０００５】
　ここで、透過型の液晶表示装置の場合は、上述のようにバックライトを用いて表示を行うために、周囲の明るさにさほど影響されることなく、明るくて高コントラストを有する表示を行うことができるという利点を有しているものの、通常バックライトは液晶表示装置の全消費電力のうち５０％以上を消費することから、消費電力が大きくなってしまうという問題も有している。
　【０００６】
　また、反射型の液晶表示装置の場合は、上述のようにバックライトを使用しないために、消費電力を極めて小さくすることができるという利点を有しているものの、周囲の明るさなどの使用環境あるいは使用条件によって表示の明るさやコントラストが左右されてしまうという問題も有している。
　【０００７】
　このように、反射型の液晶表示装置においては、周囲の明るさなどの使用環境、特に外光が暗い場合には視認性が極端に低下するという欠点を有しており、また、一方の透過型の液晶表示装置においても、これとは逆に外光が非常に明るい場合、例えば晴天下などでの視認性が低下してしまうというような問題を有していた。
　【０００８】
　本発明者らは、こうした問題点を解決するための手段として、反射型と透過型との両方の機能を合わせ持った液晶表示装置を特許出願により提案している。（特願平９−２０１１７６号）
　この特許出願により提案した液晶表示装置は、１つの表示画素に外光を反射する反射部とバックライトからの光を透過する透過部とを作り込むことにより、周囲が真っ暗の場合には、バックライトからの透過部を透過する光を利用して表示を行なう透過型液晶表示装置として、また、外光が暗い場合には、バックライトからの透過部を透過する光と光反射率の比較的高い膜により形成した反射部により反射する光との両方を利用して表示を行う両用型液晶表示装置として、さらに、外光が明るい場合には、光反射率の比較的高い膜により形成した反射部により反射する光を利用して表示を行う反射型液晶表示装置として用いることができるというような構成の透過反射両用型の液晶表示装置である。
　【０００９】
　【発明が解決しようとする課題】
　このような構成の液晶表示装置は、外光の明るさに関わらず、常に視認性が優れた液晶表示装置の提供を可能にしたものであるが、透過型と反射型との両方で明るく色純度の高いカラー表示を実現するためには、以下のような様々な問題を有している。
　【００１０】
　例えば、上述した透過反射両用型の液晶表示装置に、従来から用いられてきた一般的なカラーフィルターを配置した場合、透過部に対応するカラーフィルターではバックライトからの光が透過するのが１回であるのに対し、反射部に対応するカラーフィルターでは外光が入射する際と出射する際との２回透過することから、透過型と反射型との両方で明るく色純度の高いカラー表示を実現することは非常に困難となっていた。
　【００１１】
　これは、通常の透過型の液晶表示装置におけるカラーフィルターの透過率は、視感度補正後で約３２％であるため、これをそのまま反射型の液晶表示装置におけるカラーフィルターとして用いると、透過率は約１１％となってしまい、非常に暗いディスプレイになってしまうからである。
　【００１２】
　なお、特開平８−２８６１７８号公報には、明るく色純度の高いカラー表示を実現する液晶表示装置として、１画素内においてカラーフィルターの着色部分を島状に分割し、その周囲に開口部分（着色の無い部分）を形成するような構成が開示されている。
　【００１３】
　しかしながら、この公報にも、透過型液晶表示装置または反射型液晶表示装置におけるカラーフィルターの構成が開示されているだけであり、１つの表示画素に外光を反射する反射部とバックライトからの光を透過する透過部とを作り込んだ液晶表示装置における最適なカラーフィルターの構成、つまり着色部分や開口部分の特徴や配置関係などについては一切開示されておらず、この公報に開示されたカラーフィルター形成技術をそのまま１つの表示画素に反射部と透過部とを作り込んだ液晶表示装置に適用しても、色純度の悪い淡い表示となってしまい、透過部と反射部との両方で明るく色純度の高いカラー表示を可能とするカラーフィルターを実現することは非常に困難である。
　【００１４】
　本発明は、上述したような反射型または透過反射両用型の液晶表示装置におけるカラーフィルターの形成に関する問題点に鑑みなされたものであって、その目的とするところは、反射型または透過反射両用型の液晶表示装置におけるカラーフィルターを従来の液晶表示装置におけるカラーフィルターと比べてプロセスを増加させることなく形成し、画素電極領域とカラーフィルター領域との貼り合わせずれが発生した場合であっても、色純度が高く明るいカラー表示を実現した液晶表示装置を提供することを目的とするものである。
　【００１５】
　【課題を解決するための手段】
　本発明の液晶表示装置は、液晶層を挟んで互いに対向して貼り合わされる一対の基板のうちの一方側の基板上には、外光を反射する反射部と背面光源からの光を透過する透過部とを１画素内に構成する画素電極が形成され、該一対の基板のうちの他方側の基板上には、カラーフィルターが形成されてなる液晶表示装置において、前記他方側の基板上における前記反射部に対応する領域は、カラーフィルターが形成された領域とカラーフィルターが形成されていない領域とにより構成されてなり、前記カラーフィルターは、前記画素電極領域と前記カラーフィルター形成領域との貼り合わせずれが発生した際も、該カラーフィルターが形成されていない領域の面積が一定となるように形成されて
おり、前記他方側の基板には、前記カラーフィルターが形成された領域と前記カラーフィルターが形成されていない領域との境界に、ブラックマスクが形成されて
　【００１６】
　【００１７】
　なお、このとき、前記他方側の基板上における前記透過部に対応する領域は、カラーフィルターが形成された領域により構成されていることが望ましい。
　【００１８】
　【００１９】
　以下、本発明の作用について簡単に説明する。
　【００２０】
　本発明によれば、液晶層を挟んで互いに対向して貼り合わされる一対の基板のうちの一方側の基板上には、反射電極が形成され、該一対の基板のうちの他方側に基板上における該反射電極に対応する領域には、カラーフィルターが形成された領域とカラーフィルターが形成されていない領域とが形成されてなる液晶表示装置において、このカラーフィルターは、前記反射電極領域とカラーフィルター形成領域との貼り合わせずれが発生した際も、カラーフィルターが形成されていない領域の面積が一定となるように形成されていることを特徴としていることにより、カラーフィルター作成時におけるカラーフィルターエッジ部の仕上がりのばらつきやパネル作成時における基板の貼り合わせずれが発生した際でも、液晶表示装置の明るさや色調などの光学特性のばらつきを最小限にすることが可能となっている。
　【００２１】
　なお、外光を反射する反射部と背面光源からの光を透過する透過部とを１画素内に構成する画素電極が形成された液晶表示装置においては、前記他方側の基板上における前記透過部に対応する領域をカラーフィルターが形成された領域により構成することで、色純度の高い表示を行うことが可能となる。
　【００２２】
　また、前記カラーフィルタが形成された領域と前記カラーフィルタが形成されていない領域との境界に、カラーフィルターエッジ部の仕上がりのばらつきよりも広い線幅のブラックマスクを形成することで、カラーフィルターエッジ部における仕上がりにばらつきが生じた際でも、色純度やコントラストなどの表示特性のばらつきを最小限にすることが可能となる。
　【００２３】
　【発明の実施の形態】
　以下、本発明の実施の形態について、比較例を交えて、その特徴について図面を用いて説明する。
　【００２４】
　（比較例１）
　本発明の実施の形態の説明を容易にするため、まず本発明の比較例１における液晶表示装置について図面を用いて説明する。図１（ａ）は、本発明の比較例１における反射型液晶表示装置の画素電極部分を示した拡大平面図であり、図１（ｂ）は、図１（ａ）におけるＡ−Ａ´線の断面を示した拡大断面図である。
　【００２５】
　また、併せて従来の反射型液晶表示装置の画素電極部分を示した拡大平面図を図２（ａ）に示し、また、図２（ａ）におけるＡ−Ａ´線の断面を示した拡大断面図を図２（ｂ）に示す。
　【００２６】
　なお、図１および図２においては、カラーフィルター１１Ａ、１１Ｂ、１１Ｃと画素電極である反射電極３以外の構成については省略している。また、反射電極３の形状については、図示するような長方形でなくても構わない。
　【００２７】
　まず、従来の反射型液晶表示装置について図２を用いて説明する。図２（ａ）および図２（ｂ）に示すように、下側基板１上には反射電極３が所定の形状に形成されており、それに対向するカラーフィルター基板２上にはカラーフィルター１１Ａ、１１Ｂ、１１Ｃおよび透明電極４がそれぞれ形成されている。この下側基板１およびカラーフィルター基板２上に形成された反射電極３および透明電極４との間には液晶層５が挟持されている。
　【００２８】
　一般に、液晶表示装置においては、様々な色を表示するために、赤（Ｒ）、緑（Ｇ）、青（Ｂ）の３色のカラーフィルターを１枚の基板上に並置し、これらを透過する光量を液晶層５に印加する電圧を制御することにより混色する方法が用いられている（加法混色法）。
　【００２９】
　しかしながら、通常、透過型の液晶表示装置に用いられるカラーフィルターは、Ｒ、Ｇ、Ｂの３色を均等に混色すると、白色（Ｗ）が得られて約３２％の透過率を得ることが可能であるが、この透過型の液晶表示装置に用いられるカラーフィルターをそのまま反射型もしくは透過反射両用型の液晶表示装置に用いると、反射領域での表示は、光がカラーフィルターを２回通過するため、同じ白色表示で約１１％の明るさしか得られないことが分かっている。
　【００３０】
　ここで、反射型もしくは透過反射両用型の液晶表示装置における反射領域での表示において、白色表示の明るさを向上するためには、透過型の液晶表示装置に用いられるカラーフィルターに比べて、カラーフィルターの膜厚もしくは樹脂に分散させる顔料の量を少なくしたり、全く新しい顔料を用いたりするなどの方法が知られているが、これらの方法は、透過型の液晶表示装置と同じカラーフィルターを使うことができないため、コストアップの大きな要因となってしまっていた。
　【００３１】
　また、透過反射両用型の液晶表示装置に上述したようなカラーフィルターを用いた場合には、透過型の液晶表示装置に用いられるカラーフィルターを用いるのに比べて、反射領域では白色表示の明るさが向上するものの、透過領域では色純度が著しく低下してしまうという問題も有していた。
　【００３２】
　ここで、本発明の比較例１について図１を用いて説明する。図１（ａ）および図１（ｂ）に示すように、下側基板１上には反射電極３が所定の形状に形成されており、それに対向するカラーフィルター基板２上にはカラーフィルター１１Ａ、１１Ｂ、１１Ｃおよび透明電極４がそれぞれ形成されている。この下側基板１およびカラーフィルター基板２上に形成された反射電極３および透明電極４との間には液晶層５が挟持されている。
　【００３３】
　この比較例１は、図１（ａ）に示すように、上述したような従来のカラーフィルターの材料や膜厚などを調節する方法に替わって、カラーフィルター基板２上の反射電極３に対応する領域に、色純度の高い透過型液晶表示装置用のカラーフィルターを形成するとともに、カラーフィルターを形成しない領域（Ｂ）を設けていることを特徴としている。そして、このカラーフィルターが形成されていない領域（Ｂ）により白を表示させ、色純度の高いカラーフィルターと混色することにより、反射型の液晶表示装置や透過反射両用型の液晶表示装置における反射領域に必要な明るい表示を実現することが可能となっている。
　【００３４】
　なお、ここでは画素電極３を全て反射領域とした反射型の液晶表示装置を比較例１として説明したが、例えば図３に示すような画素電極の一部に透過領域８と反射領域３とを有するような透過反射両用型の液晶表示装置の場合についても同様である。
　【００３５】
　（実施の形態１）
　ここで、本発明の本実施の形態１における液晶表示装置について図面を用いて説明する。図５（ａ）〜（ｄ）は、本実施の形態１における液晶表示装置の画素電極部分を示した拡大平面図である。
　【００３６】
　なお、本実施の形態１における液晶表示装置は、図示していないが、下側基板１上に反射電極３が所定の形状に形成されており、それに対向するカラーフィルター基板２上にカラーフィルター１１および透明電極４が形成されている。この下側基板１およびカラーフィルター基板２上に形成された反射電極３および透明電極４との間には液晶層５が挟持されている。
　【００３７】
　本実施の形態１では、図５（ａ）に示すように、カラーフィルター基板２上の反射電極３に対応する領域に、色純度の高い透過型液晶表示装置用のカラーフィルターを形成するとともに、カラーフィルターを形成しない領域（Ｃ１）、（Ｃ２）を設けている。そして、このカラーフィルターが形成されていない領域（Ｃ１）、（Ｃ２）により白を表示させ、色純度の高いカラーフィルターと混色することにより、反射型の液晶表示装置や透過反射両用型の液晶表示装置における反射領域に必要な明るい表示を実現することが可能となっている。
　【００３８】
　このような図５（ａ）に示す構成は、設計通りの精度で下側基板１とカラーフィルター基板２とが貼り合わされた場合を示しており、このときの反射型液晶表示装置のカラーフィルター基板２上のカラーフィルター１１とそれに対向する基板１上の反射電極３とを表したものである。
　【００３９】
　これに対して、図５（ｂ）は、下側基板１に対して矢印方向にカラーフィルター基板２がずれて貼り合わされた場合を示しており、このときの反射型液晶表示装置のカラーフィルター基板２上のカラーフィルター１１とそれに対向する基板１上の反射電極３とを表したものである。
　【００４０】
　ここで、本実施の形態１における液晶表示装置の製造工程においては、下側基板１とカラーフィルター基板２とを貼り合わせる際に、図５（ｂ）に示すように、下側基板１に対して矢印方向にカラーフィルター基板２がずれて貼り合わされても、カラーフィルター１１が形成されていない領域（Ｃ１´）、（Ｃ２´）の合計面積Ｓ（Ｃ´）は、図５（ａ）に示すような設計通りの精度で下側基板１とカラーフィルター基板２とが貼り合わされた場合のカラーフィルター１１が形成されていない領域（Ｃ１）、（Ｃ２）の合計面積Ｓ（Ｃ）と比べて、
　　Ｓ（Ｃ´）＝（Ｃ１´）＋（Ｃ２´）
　　Ｓ（Ｃ）＝（Ｃ１）＋（Ｃ２）
　　Ｓ（Ｃ´）＝Ｓ（Ｃ）
となり、液晶表示装置の色度や明るさの変化は起こらない。
　【００４１】
　このように、本実施の形態１では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【００４２】
　ただし、図５（ｃ）に示すように、下側基板１とカラーフィルター基板２とを貼り合わせる際の貼り合わせずれが大きく、図５（ａ）に示すカラーフィルター１１が形成されていない領域のＣ２が存在しなくなってしまうと、カラーフィルター１１が形成されていない領域（Ｃ１´´）の面積Ｓ（Ｃ´´）は、
　　Ｓ（Ｃ´´）＝（Ｃ１´´）
　　Ｓ（Ｃ´´）＞Ｓ（Ｃ）
となり、液晶表示装置の色度や明るさが変化してしまうことになる。
　【００４３】
　そこで、本実施の形態１においては、液晶表示装置の生産における液晶工程の基板貼り合わせ精度を考慮して、図５（ｃ）に示すような状態が発生しないようなパターンを決定しておくことが望ましい。
　【００４４】
　なお、本実施の形態１では、図５（ｄ）に示すように、画素電極の一部に透過領域８と反射領域３とを有する透過反射両用型の液晶表示装置の場合についても同様の効果を得ることが可能である。
　【００４５】
　ただし、透過反射両用型の液晶表示装置の場合については、下側基板１とカラーフィルター基板２とを貼り合わせる際の貼り合わせずれが発生した際に、カラーフィルター基板２上のカラーフィルター１１が形成されていない領域が画素電極の透過領域８と重なってしまうと、透過領域８の色度や明るさが変化してしまうため、このような場合も、液晶表示装置の生産における液晶工程の基板貼り合わせ精度を考慮して、カラーフィルター１１が形成されていない領域が画素電極の透過領域８と重なることがないようなパターンを決定することが望ましい。
　【００４６】
　ここで、上述の比較例１に示したようなカラーフィルターのパターンを有する液晶表示装置において下側基板１とカラーフィルター基板２とを貼り合わせる際の貼り合わせずれが発生した場合について、以下に簡単に説明する。
　【００４７】
　図４（ａ）は、設計通りの精度で下側基板１とカラーフィルター基板２とが貼り合わされた状態の反射型液晶表示装置のカラーフィルター１１と反射電極３とを表したものである。また、図４（ｂ）は、下側基板１に対して矢印方向にカラーフィルター基板２がずれて貼り合わされた状態の反射型液晶表示装置のカラーフィルター１１と反射電極３とを表したものである。
　【００４８】
　ここで、上述の比較例１における液晶表示装置の製造工程においては、下側基板１とカラーフィルター基板２とを貼り合わせる際に、図４（ｂ）に示すように、下側基板１に対して矢印方向にカラーフィルター基板２がずれて貼り合わされると、カラーフィルター１１が形成されていない領域Ｓ（Ｂ´）の面積は、図４（ｂ）に示すような設計通りの精度で下側基板１とカラーフィルター基板２とが貼り合わされた場合のカラーフィルター１１が形成されていない領域Ｓ（Ｂ）の面積と比べて、
　　Ｓ（Ｂ´）＜Ｓ（Ｂ）
となり、よって、上述の比較例１における液晶表示装置では、基板の貼り合わせずれが発生してしまうと、液晶表示装置の色度や明るさが変化してしまうことになる。
　【００４９】
　（比較例２）
　次に、本発明の比較例２における液晶表示装置について図面を用いて説明する。図６（ａ）は、本発明の比較例２における透過反射両用型の液晶表示装置の画素電極部分を示した拡大平面図である。
　【００５０】
　この比較例２は、図６（ａ）に示すように、カラーフィルター基板２上の画素電極３に対応する領域に、色純度の高い透過型液晶表示装置用のカラーフィルター１１を形成するとともに、カラーフィルター１１を形成しない領域（Ｄ１）、（Ｄ２）を設けていることを特徴としている。そして、このカラーフィルター１１が形成されていない領域（Ｄ１）、（Ｄ２）により白を表示させ、色純度の高いカラーフィルター１１と混色することにより、透過反射両用型の液晶表示装置における反射領域に必要な明るい表示を実現することが可能となっている。
　【００５１】
　このような図６（ａ）に示す構成は、設計通りの精度で下側基板１とカラーフィルター基板２とが貼り合わされた場合を示しており、このときの透過反射両用型の液晶表示装置におけるカラーフィルター基板２上のカラーフィルター１１とそれに対向する基板１上の反射領域３および透過領域８を表したものである。
　【００５２】
　これに対して、図６（ｂ）は、下側基板１に対して矢印方向にカラーフィルター基板２がずれて貼り合わされた場合を示しており、このときの透過反射両用型の液晶表示装置におけるカラーフィルター基板２上のカラーフィルター１１とそれに対向する基板１上の反射領域３および透過領域８を表したものである。
　【００５３】
　ここで、この比較例２における液晶表示装置の製造工程においては、下側基板１とカラーフィルター基板２とを貼り合わせる際に、図６（ｂ）に示すように、下側基板１に対して矢印方向にカラーフィルター基板２がずれて貼り合わされると、カラーフィルター１１が形成されていない反射領域（Ｄ１´）、（Ｄ２´）の合計面積Ｓ（Ｄ´）は、図６（ａ）に示すような設計通りの精度で下側基板１とカラーフィルター基板２とが貼り合わされた場合のカラーフィルター１１が形成されていない領域（Ｄ１）、（Ｄ２）の合計面積Ｓ（Ｄ）と比べて、
　　Ｓ（Ｄ´）＝（Ｄ１´）＋（Ｄ２´）−（Ｄ３´）
　　Ｓ（Ｄ）＝（Ｄ１）＋（Ｄ２）
　　Ｓ（Ｄ´）＜Ｓ（Ｄ）
となり、よって、上述の比較例２における液晶表示装置では、基板の貼り合わせずれが発生してしまうと、液晶表示装置の色度や明るさが変化してしまうことになる。
　【００５４】
　これは、この比較例２における液晶表示装置が画素電極の一部に透過領域８と反射領域３とを有する透過反射両用型の液晶表示装置であり、図６（ｂ）に示すように、カラーフィルター１１のエッジ部分を貼り合わせ精度内で透過領域８のエッジ部分近傍に設定してしまうと、このような問題が発生してしまう。
　【００５５】
　このように、透過反射両用型の液晶表示装置の場合については、下側基板１とカラーフィルター基板２とを貼り合わせる際の貼り合わせずれが発生した際に、カラーフィルター基板２上のカラーフィルター１１が形成されていない領域が画素電極の透過領域８と重なってしまうと、透過領域８の色度や明るさが変化してしまうため、液晶表示装置の生産における液晶工程の基板貼り合わせ精度を十分に考慮して、カラーフィルター１１が形成されていない領域が画素電極の透過領域８と重なることがないようなカラーフィルター１１のパターンを決定することが望ましい。
　【００５６】
　（実施の形態２）
　次に、本発明の本実施の形態２における液晶表示装置について図面を用いて説明する。図７（ａ）（ｂ）は、本実施の形態２における液晶表示装置の画素電極部分を示した拡大平面図である。
　【００５７】
　本実施の形態２では、図７（ａ）に示すように、カラーフィルター基板２上の画素電極３に対応する領域に、色純度の高い透過型液晶表示装置用のカラーフィルターを形成するとともに、カラーフィルターを形成しない領域（Ｅ１）、（Ｅ２）を設けている。そして、このカラーフィルターが形成されていない領域（Ｅ１）、（Ｅ２）により白を表示させ、色純度の高いカラーフィルターと混色することにより、透過反射両用型の液晶表示装置における反射領域に必要な明るい表示を実現することが可能となっている。
　【００５８】
　このような図７（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【００５９】
　これに対して、図７（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【００６０】
　ここで、本実施の形態２における液晶表示装置の製造工程においては、下側基板１とカラーフィルター基板２とを貼り合わせる際に、図７（ｂ）に示すように、下側基板１に対して矢印方向にカラーフィルター基板２がずれて貼り合わされても、カラーフィルター１１が形成されていない領域（Ｅ１´）、（Ｅ２´）の合計面積Ｓ（Ｅ´）は、図７（ａ）に示すような設計通りの精度で下側基板１とカラーフィルター基板２とが貼り合わされた場合のカラーフィルター１１が形成されていない領域（Ｅ１）、（Ｅ２）の合計面積Ｓ（Ｃ）と比べて、
　　Ｓ（Ｅ´）＝（Ｅ１´）＋（Ｅ２´）
　　Ｓ（Ｅ）＝（Ｅ１）＋（Ｅ２）
　　Ｓ（Ｅ´）＝Ｓ（Ｅ）
となり、液晶表示装置の色度や明るさの変化は起こらない。
　【００６１】
　このように、本実施の形態２では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【００６２】
　この点に関し、本実施の形態２では、透過反射両用型の液晶表示装置の場合において下側基板１とカラーフィルター基板２との貼り合わせずれが発生した際に、液晶表示装置の生産における液晶工程の基板貼り合わせ精度を十分に考慮して、カラーフィルター１１が形成されていない領域が画素電極の透過領域８と重なることがないようにカラーフィルター１１のパターン形状を決定（カラーフィルター１１のエッジ部と透過領域８のエッジ部との間隔を貼り合わせ精度よりも大きくして配置）しているため、上述の比較例２における液晶表示装置のように、基板の貼り合わせずれに起因する液晶表示装置の色度や明るさの変化を抑制することに可能となっている。
　【００６３】
　（実施の形態３）
　次に、本発明の本実施の形態３における液晶表示装置について同様に図面を用いて説明する。図８（ａ）（ｂ）は、本実施の形態３における液晶表示装置の画素電極部分を示した拡大平面図である。
　【００６４】
　本実施の形態３では、図８（ａ）に示すように、カラーフィルター基板２上の画素電極３に対応する領域に、色純度の高い透過型液晶表示装置用のカラーフィルターを形成するとともに、カラーフィルターを形成しない領域（Ｆ）を設けている。そして、このカラーフィルターが形成されていない領域（Ｆ）により白を表示させ、色純度の高いカラーフィルターと混色することにより、透過反射両用型の液晶表示装置における反射領域に必要な明るい表示を実現することが可能となっている。
　【００６５】
　このような図８（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【００６６】
　これに対して、図８（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【００６７】
　ここで、本実施の形態３における液晶表示装置の製造工程においては、下側基板１とカラーフィルター基板２とを貼り合わせる際に、図８（ｂ）に示すように、下側基板１に対して矢印方向にカラーフィルター基板２がずれて貼り合わされても、カラーフィルター１１が形成されていない領域Ｓ（Ｆ´）の面積は、図８（ａ）に示すような設計通りの精度で下側基板１とカラーフィルター基板２とが貼り合わされた場合のカラーフィルター１１が形成されていない領域Ｓ（Ｆ）の面積と比べて、
　　Ｓ（Ｆ´）＝Ｓ（Ｆ）
となり、液晶表示装置の色度や明るさの変化は起こらない。
　【００６８】
　このように、本実施の形態３では、カラーフィルターが形成されていない領域を有するとともに、それらの面積が貼り合わせずれが発生しても、合計として変化しないようなパターン形状でカラーフィルターが形成（カラーフィルター１１のエッジ部と透過領域８のエッジ部との間隔を貼り合わせ精度よりも大きくして配置）されているため、色度や明るさの変化が発生しない液晶表示装置を実現することが可能となっている。
　【００６９】
　（実施の形態４）
　次に、本発明の本実施の形態４における液晶表示装置について同様に図面を用いて説明する。図９（ａ）（ｂ）は、本実施の形態４における液晶表示装置の画素電極部分を示した拡大平面図である。
　【００７０】
　本実施の形態４では、図９（ａ）に示すように、カラーフィルター基板２上の画素電極３に対応する領域に、色純度の高い透過型液晶表示装置用のカラーフィルターを形成するとともに、カラーフィルターを形成しない領域（Ｇ）を設けている。そして、このカラーフィルターが形成されていない領域（Ｇ）により白を表示させ、色純度の高いカラーフィルターと混色することにより、透過反射両用型の液晶表示装置における反射領域に必要な明るい表示を実現することが可能となっている。
　【００７１】
　このような図９（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【００７２】
　これに対して、図９（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【００７３】
　ここで、本実施の形態４における液晶表示装置の製造工程においては、下側基板１とカラーフィルター基板２とを貼り合わせる際に、図９（ｂ）に示すように、下側基板１に対して矢印方向にカラーフィルター基板２がずれて貼り合わされても、カラーフィルター１１が形成されていない領域Ｓ（Ｇ´）の面積は、図９（ａ）に示すような設計通りの精度で下側基板１とカラーフィルター基板２とが貼り合わされた場合のカラーフィルター１１が形成されていない領域Ｓ（Ｇ）の面積と比べて、
　　Ｓ（Ｇ´）＝Ｓ（Ｇ）
となり、液晶表示装置の色度や明るさの変化は起こらない。
　【００７４】
　このように、本実施の形態４では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【００７５】
　（実施の形態５）
　次に、本発明の本実施の形態５における液晶表示装置について同様に図面を用いて説明する。図１０（ａ）（ｂ）は、本実施の形態５における液晶表示装置の画素電極部分を示した拡大平面図であり、図１０（ｃ）は、本実施の形態５における液晶表示装置のカラーフィルター全体のパターンを示した平面図である。
　【００７６】
　本実施の形態５では、図１０（ａ）に示すように、カラーフィルター基板２上の画素電極３に対応する領域に、色純度の高い透過型液晶表示装置用のカラーフィルターを形成するとともに、カラーフィルターを形成しない領域（Ｈ）を設けている。そして、このカラーフィルターが形成されていない領域（Ｈ）により白を表示させ、色純度の高いカラーフィルターと混色することにより、透過反射両用型の液晶表示装置における反射領域に必要な明るい表示を実現することが可能となっている。
　【００７７】
　なお、この本実施の形態５における液晶表示装置では、図１０（ｃ）に示すように、図１０（ａ）に示したようなカラーフィルター１１をデルタ状にＲ、Ｇ、Ｂ、３色配列してカラー表示を行っている。
　【００７８】
　このような図１０（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【００７９】
　これに対して、図１０（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【００８０】
　ここで、本実施の形態５における液晶表示装置の製造工程においては、下側基板１とカラーフィルター基板２とを貼り合わせる際に、図１０（ｂ）に示すように、下側基板１に対して矢印方向にカラーフィルター基板２がずれて貼り合わされても、カラーフィルター１１が形成されていない領域Ｓ（Ｈ´）の面積は、図１０（ａ）に示すような設計通りの精度で下側基板１とカラーフィルター基板２とが貼り合わされた場合のカラーフィルター１１が形成されていない領域Ｓ（Ｈ）の面積と比べて、
　　Ｓ（Ｈ´）＝Ｓ（Ｈ）
となり、液晶表示装置の色度や明るさの変化は起こらない。
　【００８１】
　このように、本実施の形態５では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【００８２】
　（実施の形態６）
　次に、本発明の本実施の形態６における液晶表示装置について同様に図面を用いて説明する。図１１（ａ）（ｂ）は、本実施の形態６における液晶表示装置の画素電極部分を示した拡大平面図である。
　【００８３】
　本実施の形態６では、図１１（ａ）に示すように、カラーフィルター基板２上の画素電極３に対応する領域に、色純度の高い透過型液晶表示装置用のカラーフィルターを形成するとともに、カラーフィルターを形成しない領域（Ｉ）を設けている。そして、このカラーフィルターが形成されていない領域（Ｉ）により白を表示させ、色純度の高いカラーフィルターと混色することにより、透過反射両用型の液晶表示装置における反射領域に必要な明るい表示を実現することが可能となっている。
　【００８４】
　このような図１１（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【００８５】
　これに対して、図１１（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【００８６】
　ここで、本実施の形態６における液晶表示装置の製造工程においては、下側基板１とカラーフィルター基板２とを貼り合わせる際に、図１１（ｂ）に示すように、下側基板１に対して矢印方向にカラーフィルター基板２がずれて貼り合わされても、カラーフィルター１１が形成されていない領域Ｓ（Ｉ´）の面積は、図１１（ａ）に示すような設計通りの精度で下側基板１とカラーフィルター基板２とが貼り合わされた場合のカラーフィルター１１が形成されていない領域Ｓ（Ｉ）の面積と比べて、
　　Ｓ（Ｉ´）＝Ｓ（Ｉ）
となり、液晶表示装置の色度や明るさの変化は起こらない。
　【００８７】
　このように、本実施の形態６では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【００８８】
　次に、図９（ａ）、図１０（ａ）、図１１（ａ）を例に挙げて、カラーフィルターエッジ部における仕上がりのばらつきによる光学特性への影響について簡単に説明する。
　【００８９】
　まず、図１１（ａ）では、カラーフィルター１１が形成された領域とカラーフィルター１１が形成されていない領域との境界線（以下、境界線という。）が、全て反射部に対応する領域に存在している。これに対して図９（ａ）では、境界線の一部が、反射部に対応する領域からはみ出しているため、反射部に対応する領域に存在している境界線は、図１１（ａ）より短くなっている。また、図１０（ａ）では、境界線のより多くの部分が、反射部に対応する領域からはみ出しているため、反射部に対応する領域に存在している境界線は、図９よりさらに短くなっている。
　【００９０】
　ここで、カラーフィルターエッジ部における仕上がりにばらつきが生じた場合には、反射部に対応する領域に存在している境界線の部分が光学特性に影響を及ぼしてしまう。したがって、例えば、図９（ａ）、図１０（ａ）に示すように、境界線の一部が反射部に対応する領域からはみ出しているような構成とすることにより、反射部に対応する領域に存在している境界線の長さが短くなり、カラーフィルターエッジ部における仕上がりのばらつきの影響を受け難くすることが可能となっている。
　【００９１】
　あるいは、少なくとも反射部に対応する領域における境界線上に、カラーフィルターエッジ部における仕上がりのばらつきよりも広い線幅のブラックマスクを形成することにより、開口率は多少犠牲になるものの、色純度やコントラストなどの表示特性のばらつきを低減させることができる。
　【００９２】
　（実施の形態７）
　次に、本発明の本実施の形態７における液晶表示装置について同様に図面を用いて説明する。図１２（ａ）（ｂ）は、本実施の形態７における液晶表示装置の画素電極部分を示した拡大平面図である。
　【００９３】
　本実施の形態７では、図１２（ａ）に示すように、カラーフィルター基板２上の画素電極３に対応する領域に、色純度の高い透過型液晶表示装置用のカラーフィルターを形成するとともに、カラーフィルターを形成しない領域（Ｊ１）、（Ｊ２）を設けている。そして、このカラーフィルターが形成されていない領域（Ｊ１）、（Ｊ２）により白を表示させ、色純度の高いカラーフィルターと混色することにより、反射型の液晶表示装置における反射領域に必要な明るい表示を実現することが可能となっている。
　【００９４】
　このような図１２（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【００９５】
　これに対して、図１２（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【００９６】
　ここで、本実施の形態７における液晶表示装置の製造工程においては、下側基板１とカラーフィルター基板２とを貼り合わせる際に、図１２（ｂ）に示すように、下側基板１に対して矢印方向にカラーフィルター基板２がずれて貼り合わされると、カラーフィルター１１が形成されていない領域（Ｊ１´）、（Ｊ２´）の合計面積Ｓ（Ｊ´）は、図１２（ａ）に示すような設計通りの精度で下側基板１とカラーフィルター基板２とが貼り合わされた場合のカラーフィルター１１が形成されていない領域（Ｊ１）、（Ｊ２）の合計面積Ｓ（Ｊ）と比べて、
　　Ｓ（Ｊ´）＝（Ｊ１´）＋（Ｊ２´）
　　Ｓ（Ｊ）＝（Ｊ１）＋（Ｊ２）
　　Ｓ（Ｊ´）＜Ｓ（Ｊ）
となってしまう。
　【００９７】
　しかしながら、このような本実施の形態７は、カラーフィルターが形成されていない領域を有するとともに、それらの面積が貼り合わせずれが発生すると、合計として変化してしまうようなパターン形状でカラーフィルターが形成されているものの、同じ面積をもつカラーフィルターが形成されていない領域を一カ所だけに形成した比較例１と比べると、この面積の変化量は極僅かであり、色度や明るさの変化が発生しない程度のものとなっている。
　【００９８】
　次に、図１２（ａ）、図１３（ａ）を例に挙げて、カラーフィルターエッジ部における仕上がりのばらつきによる光学特性への影響について簡単に説明する。
　【００９９】
　まず、図１２（ａ）、図１３（ｂ）では、反射部に対応するカラーフィルター１１が形成されていない領域の面積が同じである場合には、反射部に対応する境界線は、図１２（ａ）の方が図１３（ａ）よりも短くなっている。したがって、図１２（ａ）では、カラーフィルターエッジ部における仕上がりのばらつきの影響をより受け難くすることが可能となっている。
　【０１００】
　なお、カラーフィルター１１に用いるカラーフィルター層の種類によっては、貼り合わせ精度よりも、カラーフィルターエッジ部における仕上がりのばらつきの影響の方が大きい場合があり、そのような場合には、特に図１３（ａ）よりも図１２（ａ）に示すようなパターンの方が好ましい。
　【０１０１】
　そして、少なくとも反射部に対応する領域における境界線上に、カラーフィルターエッジ部における仕上がりのばらつきよりも広い線幅のブラックマスクを形成することにより、開口率は多少犠牲になるものの、色純度やコントラストなどの表示特性のばらつきを低減させることができる。
　【０１０２】
　（実施の形態８）
　次に、本発明の本実施の形態６における液晶表示装置について同様に図面を用いて説明する。図１３（ａ）（ｂ）は、本実施の形態８における液晶表示装置の画素電極部分を示した拡大平面図である。
　【０１０３】
　本実施の形態８では、図１３（ａ）に示すように、カラーフィルター基板２上の画素電極３に対応する領域に、色純度の高い透過型液晶表示装置用のカラーフィルターを形成するとともに、カラーフィルターを形成しない領域（Ｋ１）、（Ｋ２）、（Ｋ３）、（Ｋ４）を設けている。そして、このカラーフィルターが形成されていない領域（Ｋ１）、（Ｋ２）、（Ｋ３）、（Ｋ４）により白を表示させ、色純度の高いカラーフィルターと混色することにより、反射型の液晶表示装置における反射領域に必要な明るい表示を実現することが可能となっている。
　【０１０４】
　このような図１３（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【０１０５】
　これに対して、図１３（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【０１０６】
　ここで、本実施の形態８における液晶表示装置の製造工程においては、下側基板１とカラーフィルター基板２とを貼り合わせる際に、図１３（ｂ）に示すように、下側基板１に対して矢印方向にカラーフィルター基板２がずれて貼り合わされても、カラーフィルター１１が形成されていない領域（Ｋ１´）、（Ｋ２´）、（Ｋ３´）、（Ｋ４´）の合計面積Ｓ（Ｋ´）は、図１３（ａ）に示すような設計通りの精度で下側基板１とカラーフィルター基板２とが貼り合わされた場合のカラーフィルター１１が形成されていない領域（Ｋ１）、（Ｋ２）、（Ｋ３）、（Ｋ４）の合計面積Ｓ（Ｋ）と比べて、
　　Ｓ（Ｋ´）＝（Ｋ１´）＋（Ｋ２´）＋（Ｋ３´）＋（Ｋ４´）
　　Ｓ（Ｋ）＝（Ｋ１）＋（Ｋ２）＋（Ｋ３）＋（Ｋ４）
　　Ｓ（Ｋ´）＝Ｓ（Ｋ）
となり、液晶表示装置の色度や明るさの変化は起こらない。
　【０１０７】
　このように、本実施の形態８では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【０１０８】
　（実施の形態９）
　次に、本発明の本実施の形態９における液晶表示装置について同様に図面を用いて説明する。図１４（ａ）（ｂ）は、本実施の形態９における液晶表示装置の画素電極部分を示した拡大平面図である。
　【０１０９】
　本実施の形態９では、図１４（ａ）に示すように、カラーフィルター基板２上の画素電極３に対応する領域に、色純度の高い透過型液晶表示装置用のカラーフィルターを形成するとともに、カラーフィルターを形成しない領域（Ｌ）を設けている。そして、このカラーフィルターが形成されていない領域（Ｌ）により白を表示させ、色純度の高いカラーフィルターと混色することにより、反射型の液晶表示装置における反射領域に必要な明るい表示を実現することが可能となっている。
　【０１１０】
　このような図１４（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【０１１１】
　これに対して、図１４（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【０１１２】
　ここで、本実施の形態９における液晶表示装置の製造工程においては、下側基板１とカラーフィルター基板２とを貼り合わせる際に、図１４（ｂ）に示すように、下側基板１に対して矢印方向にカラーフィルター基板２がずれて貼り合わされても、カラーフィルター１１が形成されていない領域Ｓ（Ｌ´）の面積は、図１４（ａ）に示すような設計通りの精度で下側基板１とカラーフィルター基板２とが貼り合わされた場合のカラーフィルター１１が形成されていない領域Ｓ（Ｌ）の面積と比べて、
　　Ｓ（Ｌ´）＝Ｓ（Ｌ）
となり、液晶表示装置の色度や明るさの変化は起こらない。
　【０１１３】
　このように、本実施の形態９では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【０１１４】
　（実施の形態１０）
　次に、本発明の本実施の形態１０における液晶表示装置について同様に図面を用いて説明する。図１５（ａ）（ｂ）は、本実施の形態１０における液晶表示装置の画素電極部分を示した拡大平面図である。
　【０１１５】
　本実施の形態１０では、図１５（ａ）に示すように、カラーフィルター基板２上の画素電極３に対応する領域に、色純度の高い透過型液晶表示装置用のカラーフィルターを形成するとともに、カラーフィルターを形成しない領域（Ｍ）を設けている。そして、このカラーフィルターが形成されていない領域（Ｍ）により白を表示させ、色純度の高いカラーフィルターと混色することにより、反射型の液晶表示装置における反射領域に必要な明るい表示を実現することが可能となっている。
　【０１１６】
　このような図１５（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【０１１７】
　これに対して、図１５（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【０１１８】
　ここで、本実施の形態１０における液晶表示装置の製造工程においては、下側基板１とカラーフィルター基板２とを貼り合わせる際に、図１５（ｂ）に示すように、下側基板１に対して矢印方向にカラーフィルター基板２がずれて貼り合わされても、カラーフィルター１１が形成されていない領域Ｓ（Ｍ´）の面積は、図１５（ａ）に示すような設計通りの精度で下側基板１とカラーフィルター基板２とが貼り合わされた場合のカラーフィルター１１が形成されていない領域Ｓ（Ｍ）の面積と比べて、
　　Ｓ（Ｍ´）＝Ｓ（Ｍ）
となり、液晶表示装置の色度や明るさの変化は起こらない。
　【０１１９】
　このように、本実施の形態１０では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【０１２０】
　次に、図１４（ａ）、図１５（ａ）を例に挙げて、カラーフィルターエッジ部における仕上がりのばらつきによる光学特性への影響について簡単に説明する。
　【０１２１】
　まず、図１４（ａ）の画素電極３に対応するカラーフィルター１１が形成されていない領域Ｌは、一辺がｘとｙとの四角形であり、図１５（ａ）の画素電極３に対応するカラーフィルタ１１が形成されていない領域Ｍは、半径がｒの円形であり、これら両方の面積は等しいとする。そして、図１４（ａ）、図１５（ａ）に示すように、色版作成の露光工程が原因で、上述した設定値よりもｄだけカラーフィルターエッジ部における仕上がりのばらつきが生じたとする。
　【０１２２】
　このとき、図１４（ａ）において生じる面積の差ΔＬは、
　　ΔＬ＝（ｘ＋２ｄ）（ｙ＋２ｄ）−ｘｙ＝２ｄ（ｘ＋ｙ）＋４ｄ２
となり、この値が最小となるのは、ｘ＝ｙのときであり、
　　ΔＬ＝４ｄｘ＋４ｄ２
となる。ここで、両方の面積は等しいので、
　　ｘｙ＝ｘ２＝πｒ２
　　ｘ＝（√π）ｒ
となり、ゆえに、
　　ΔＬ＝４（√π）ｒｄ＋４ｄ２
となる。また、図１５（ａ）で生じる面積の差ΔＭは、
　　ΔＭ＝π（ｒ＋ｄ）２−πｒ２＝２πｒｄ＋πｄ２
となり、ゆえに、
　　ΔＬ＞ΔＭ
となる。
　【０１２３】
　このように、領域Ｌと領域Ｍとの面積が等しいような場合には、図１５（ａ）に示すような円形パターンの方が周囲の長さ、すなわち上述した境界線が短いため、カラーフィルターのエッジ部における仕上がりのばらつきの影響を受け難くくすることが可能となっている。
　【０１２４】
　そして、このときにも、少なくとも反射部に対応する領域における境界線上に、カラーフィルターエッジ部における仕上がりのばらつきよりも広い線幅のブラックマスクを形成することにより、開口率は多少犠牲になるものの、色純度やコントラストなどの表示特性のばらつきを低減させることができる。
　【０１２５】
　（実施の形態１１）
　次に、本発明の本実施の形態１１における液晶表示装置について同様に図面を用いて説明する。図１６（ａ）（ｂ）は、本実施の形態１１における液晶表示装置の画素電極部分を示した拡大平面図であり、図１６（ｃ）は、本実施の形態１１における液晶表示装置のカラーフィルター全体のパターンを示した平面図である。
　【０１２６】
　本実施の形態１１では、図１６（ａ）に示すように、カラーフィルター基板２上の画素電極３に対応する領域に、色純度の高い透過型液晶表示装置用のカラーフィルターを形成するとともに、カラーフィルターを形成しない領域（Ｎ１）、（Ｎ２）を設けている。そして、このカラーフィルターが形成されていない領域（Ｎ１）、（Ｎ２）により白を表示させ、色純度の高いカラーフィルターと混色することにより、反射型の液晶表示装置における反射領域に必要な明るい表示を実現することが可能となっている。
　【０１２７】
　なお、この本実施の形態１１における液晶表示装置では、図１６（ｃ）に示すように、図１６（ａ）に示したようなカラーフィルター１１をデルタ状にＲ、Ｇ、Ｂ、３色配列してカラー表示を行っている。
　【０１２８】
　このような図１６（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【０１２９】
　これに対して、図１６（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【０１３０】
　ここで、本実施の形態１１における液晶表示装置の製造工程においては、下側基板１とカラーフィルター基板２とを貼り合わせる際に、図１６（ｂ）に示すように、下側基板１に対して矢印方向にカラーフィルター基板２がずれて貼り合わされても、カラーフィルター１１が形成されていない領域（Ｎ１´）、（Ｎ２´）の合計面積Ｓ（Ｎ´）は、図１６（ａ）に示すような設計通りの精度で下側基板１とカラーフィルター基板２とが貼り合わされた場合のカラーフィルター１１が形成されていない領域（Ｎ１）、（Ｎ２）の合計面積Ｓ（Ｎ）と比べて、
　　Ｓ（Ｎ´）＝（Ｎ１´）＋（Ｎ２´）
　　Ｓ（Ｎ）＝（Ｎ１）＋（Ｎ２）
　　Ｓ（Ｎ´）＝Ｓ（Ｎ）
となり、液晶表示装置の色度や明るさの変化は起こらない。
　【０１３１】
　このように、本実施の形態１１では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【０１３２】
　（実施の形態１２）
　次に、本発明の本実施の形態１２における液晶表示装置について同様に図面を用いて説明する。図１７（ａ）（ｂ）は、本実施の形態１２における液晶表示装置の画素電極部分を示した拡大平面図である。
　【０１３３】
　本実施の形態１２では、図１７（ａ）に示すように、カラーフィルター基板２上の画素電極３に対応する領域に、色純度の高い透過型液晶表示装置用のカラーフィルターを形成するとともに、カラーフィルターを形成しない領域（Ｏ）を設けている。そして、このカラーフィルターが形成されていない領域（Ｏ）により白を表示させ、色純度の高いカラーフィルターと混色することにより、反射型の液晶表示装置における反射領域に必要な明るい表示を実現することが可能となっている。
　【０１３４】
　このような図１７（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【０１３５】
　これに対して、図１７（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【０１３６】
　ここで、本実施の形態１２における液晶表示装置の製造工程においては、下側基板１とカラーフィルター基板２とを貼り合わせる際に、図１７（ｂ）に示すように、下側基板１に対して矢印方向にカラーフィルター基板２がずれて貼り合わされても、カラーフィルター１１が形成されていない領域Ｓ（Ｏ´）の面積は、図１７（ａ）に示すような設計通りの精度で下側基板１とカラーフィルター基板２とが貼り合わされた場合のカラーフィルター１１が形成されていない領域Ｓ（Ｏ）の面積と比べて、
　　Ｓ（Ｏ´）＝Ｓ（Ｏ）
となり、液晶表示装置の色度や明るさの変化は起こらない。
　【０１３７】
　このように、本実施の形態１２では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【０１３８】
　ただし、このような場合、横方向の貼り合わせ精度内の範囲には、円周パターンを配置せず、図１６（ａ）に示すような長方形のパターンを設定しておく必要がある。
　【０１３９】
　（実施の形態１３）
　次に、本発明の本実施の形態１３における液晶表示装置について同様に図面を用いて説明する。図１８（ａ）〜（ｄ）は、本実施の形態１３における液晶表示装置の画素電極部分を示した拡大平面図である。
　【０１４０】
　本実施の形態１３では、図１８（ａ）に示すように、カラーフィルター基板２上の画素電極３に対応する領域に、色純度の高い透過型液晶表示装置用のカラーフィルターを形成するとともに、カラーフィルターを形成しない領域（Ｐ１）、（Ｐ２）を設けている。そして、このカラーフィルターが形成されていない領域（Ｐ１）、（Ｐ２）により白を表示させ、色純度の高いカラーフィルターと混色することにより、反射型の液晶表示装置における反射領域に必要な明るい表示を実現することが可能となっている。
　【０１４１】
　このような図１８（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【０１４２】
　これに対して、図１８（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【０１４３】
　ここで、本実施の形態１３における液晶表示装置の製造工程においては、下側基板１とカラーフィルター基板２とを貼り合わせる際に、図１８（ｂ）に示すように、下側基板１に対して矢印方向にカラーフィルター基板２がずれて貼り合わされても、カラーフィルター１１が形成されていない領域（Ｐ１´）、（Ｐ１´）の合計面積Ｓ（Ｐ´）は、図１８（ａ）に示すような設計通りの精度で下側基板１とカラーフィルター基板２とが貼り合わされた場合のカラーフィルター１１が形成されていない領域（Ｐ１）、（Ｐ２）の合計面積Ｓ（Ｐ）と比べて、
　　Ｓ（Ｐ´）＝（Ｐ１´）＋（Ｐ２´）
　　Ｓ（Ｐ）＝（Ｐ１）＋（Ｐ２）
　　Ｓ（Ｐ´）＝Ｓ（Ｐ）
となり、液晶表示装置の色度や明るさの変化は起こらない。
　【０１４４】
　このように、本実施の形態１３では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【０１４５】
　次に、図１８（ｃ）、図１８（ｄ）を例に挙げて、カラーフィルターエッジ部における仕上がりのばらつきによる光学特性への影響について簡単に説明する。
　【０１４６】
　まず、図１８（ａ）の画素電極３に対応するカラーフィルター１１が形成されていない領域（Ｐ１＋Ｐ２）は、縦がｘ、横がｙ（画素の短辺に相当）の四角形２個分の面積であり、図１５（ａ）の画素電極３に対応するカラーフィルターが形成されていない領域（Ｐ１＋Ｐ２）は、縦がｘ´（画素の長辺に相当）、横がｙ´の四角形２個分の面積である。このとき、色版作成の露光工程が原因で、上述した設定値よりｄだけＣＦエッジの仕上がりのばらつきが生じたとする。
　【０１４７】
　このとき、図１８（ｃ）で生じる面積の差ΔＰは、
　　ΔＰ＝２（ｘ＋ｄ）ｙ−２ｘｙ＝２ｄｙ
であり、図１８（ｄ）で生じる面積の差ΔＰは、
　　ΔＣ＝２ｘ´（ｙ´＋ｄ）−２ｘ´ｙ＝２ｄｘ´
　　ｙ＜ｘ´
となり、ゆえに、
　　ΔＣ＞ΔＰ
となる。
　【０１４８】
　このように、画素電極が長方形の場合、画素電極の短軸全体を一辺とするようにして反射部に対応する領域にカラーフィルタ１１が形成されていない領域を形成した方が、カラーフィルターのエッジ部における仕上がりのばらつきの影響を受け難くくすることが可能となっている。
　【０１４９】
　そして、このときにも、少なくとも反射部に対応する領域における境界線上に、カラーフィルターエッジ部における仕上がりのばらつきよりも広い線幅のブラックマスクを形成することにより、開口率は多少犠牲になるものの、色純度やコントラストなどの表示特性のばらつきを低減させることができる。
　【０１５０】
　（実施の形態１４）
　次に、本発明の本実施の形態１４における液晶表示装置について同様に図面を用いて説明する。図１９（ａ）〜（ｃ）は、本実施の形態１４における液晶表示装置の画素電極部分を示した拡大平面図であり、図１９（ｄ）は、本実施の形態１４における液晶表示装置のカラーフィルター全体のパターンを示した平面図である。
　【０１５１】
　本実施の形態１４では、図１９（ａ）に示すように、カラーフィルター基板２上の画素電極３に対応する領域に、色純度の高い透過型液晶表示装置用のカラーフィルターを形成するとともに、カラーフィルターを形成しない領域（Ｑ）を設けている。そして、このカラーフィルターが形成されていない領域（Ｑ）により白を表示させ、色純度の高いカラーフィルターと混色することにより、反射型の液晶表示装置における反射領域に必要な明るい表示を実現することが可能となっている。
　【０１５２】
　なお、この本実施の形態１４における液晶表示装置では、図１９（ｄ）に示すように、図１９（ａ）に示したようなカラーフィルター１１をデルタ状にＲ、Ｇ、Ｂ、３色配列してカラー表示を行っている。
　【０１５３】
　このような図１９（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
　【０１５４】
　これに対して、図１９（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
　【０１５５】
　ここで、本実施の形態１４における液晶表示装置の製造工程においては、下側基板１とカラーフィルター基板２とを貼り合わせる際に、図１９（ｂ）に示すように、下側基板１に対して矢印方向にカラーフィルター基板２がずれて貼り合わされても、カラーフィルター１１が形成されていない領域Ｓ（Ｑ´）面積は、図１９（ａ）に示すような設計通りの精度で下側基板１とカラーフィルター基板２とが貼り合わされた場合のカラーフィルター１１が形成されていない領域Ｓ（Ｑ）の面積と比べて、
　　Ｓ（Ｑ´）＝Ｓ（Ｑ）
となり、液晶表示装置の色度や明るさの変化は起こらない。
　【０１５６】
　このように、本実施の形態１４では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
　【０１５７】
　次に、図１９（ｃ）を例に挙げて、カラーフィルターエッジ部における仕上がりのばらつきによる光学特性への影響について簡単に説明する。
　【０１５８】
　この図１９（ａ）は、上述した図１８（ａ）の着色部を上下に分割し、Ｐ１とＰ２をあわせて画素電極の中央部分に配置した構成となっている。したがって、図１８（ｄ）の着色部を上下に分割し、Ｃ１とＣ２をあわせて画素の中央に配置させた図９（ａ）と比較すると、カラーフィルターのエッジ部における仕上がりのばらつきの影響を受け難くくすることが可能となっている。
　【０１５９】
　そして、このときにも、少なくとも反射部に対応する領域における境界線上に、カラーフィルターエッジ部における仕上がりのばらつきよりも広い線幅のブラックマスクを形成することにより、開口率は多少犠牲になるものの、色純度やコントラストなどの表示特性のばらつきを低減させることができる。
　【０１６０】
　本発明における液晶表示装置は、上述した各実施の形態において説明したようなカラーフィルターのパターン形状に特徴を有するものであるが、本発明はこれら上述した各実施の形態において説明したカラーフィルターのパターン形状だけに限定されるものではなく、液晶表示装置の画素電極領域とカラーフィルター形成領域との貼り合わせずれが発生した際も、カラーフィルターが形成されていない領域の面積が一定となるようなパターン形状を有するカラーフィルターであればよい。
　【０１６１】
　【発明の効果】
　本発明によれば、液晶層を挟んで互いに対向して貼り合わされる一対の基板のうちの一方側の基板上には、画素電極が形成され、該一対の基板のうちの他方側に基板上における該画素電極に対応する領域には、カラーフィルターが形成された領域とカラーフィルターが形成されていない領域とが形成されてなる液晶表示装置において、このカラーフィルターは、前記画素電極領域とカラーフィルター形成領域との貼り合わせずれが発生した際も、カラーフィルターが形成されていない領域の面積が一定となるように形成されていることを特徴としていることにより、カラーフィルター作成時における色版ずれやパネル作成時における基板の貼り合わせずれが発生した際でも、液晶表示装置の明るさや色調などの光学特性のばらつきを最小限にすることが可能となっている。
【図面の簡単な説明】
　【図１】
　図１（ａ）は、本発明の比較例１における反射型液晶表示装置の画素電極部分を示した拡大平面図であり、図１（ｂ）は、図１（ａ）におけるＡ−Ａ´線の断面を示した拡大断面図である。
　【図２】
　図２（ａ）は、従来の反射型液晶表示装置の画素電極部分を示した拡大平面図であり、図２（ｂ）は、図２（ａ）におけるＡ−Ａ´線の断面を示した拡大断面図である。
　【図３】
　図３は、本発明の比較例１における透過反射両用型液晶表示装置の画素電極部分を示した拡大平面図である。
　【図４】
　図４（ａ）（ｂ）は、本発明の比較例１における反射型液晶表示装置の画素電極部分を示した拡大平面図である。
　【図５】
　図５（ａ）〜（ｄ）は、本実施の形態１における液晶表示装置の画素電極部分を示した拡大平面図である。
　【図６】
　図６（ａ）（ｂ）は、本発明の比較例２における透過反射両用型液晶表示装置の画素電極部分を示した拡大平面図である。
　【図７】
　図７（ａ）（ｂ）は、本実施の形態２における液晶表示装置の画素電極部分を示した拡大平面図である。
　【図８】
　図８（ａ）（ｂ）は、本実施の形態３における液晶表示装置の画素電極部分を示した拡大平面図である。
　【図９】
　図９（ａ）（ｂ）は、本実施の形態４における液晶表示装置の画素電極部分を示した拡大平面図である。
　【図１０】
　図１０（ａ）（ｂ）は、本実施の形態５における液晶表示装置の画素電極部分を示した拡大平面図であり、図１０（ｃ）は、本実施の形態５における液晶表示装置のカラーフィルター全体のパターンを示した平面図である。
　【図１１】
　図１１（ａ）（ｂ）は、本実施の形態６における液晶表示装置の画素電極部分を示した拡大平面図である。
　【図１２】
　図１２（ａ）（ｂ）は、本実施の形態７における液晶表示装置の画素電極部分を示した拡大平面図である。
　【図１３】
　図１３（ａ）（ｂ）は、本実施の形態８における液晶表示装置の画素電極部分を示した拡大平面図である。
　【図１４】
　図１４（ａ）（ｂ）は、本実施の形態９における液晶表示装置の画素電極部分を示した拡大平面図である。
　【図１５】
　図１５（ａ）（ｂ）は、本実施の形態１０における液晶表示装置の画素電極部分を示した拡大平面図である。
　【図１６】
　図１６（ａ）（ｂ）は、本実施の形態１１における液晶表示装置の画素電極部分を示した拡大平面図であり、図１６（ｃ）は、本実施の形態１１における液晶表示装置のカラーフィルター全体のパターンを示した平面図である。
　【図１７】
　図１７（ａ）（ｂ）は、本実施の形態１２における液晶表示装置の画素電極部分を示した拡大平面図である。
　【図１８】
　図１８（ａ）〜（ｄ）は、本実施の形態１３における液晶表示装置の画素電極部分を示した拡大平面図である。
　【図１９】
　図１９（ａ）〜（ｃ）は、本実施の形態１４における液晶表示装置の画素電極部分を示した拡大平面図であり、図１９（ｄ）は、本実施の形態１４における液晶表示装置のカラーフィルター全体のパターンを示した平面図である。
　【符号の説明】
　　１　　下側基板
　　２　　カラーフィルター基板
　　３　　画素電極（反射領域）
　　４　　透明電極
　　５　　液晶層
　　８　　画素電極（透過領域）
　１１　　カラーフィルター